【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
遊技者に対向配置されて、遊技に関する演出を行う演出装置と、
前記演出装置に対して側方に離れかつ前側に位置する待機位置と、前記演出装置に前側から重なる演出位置との間を移動する可動役物と、
前記待機位置に配置された前記可動役物を前側から覆う透明パネルと、を備えた遊技機において、
前記可動役物より前側かつ前記透明パネルに対して前記演出位置側に配置されて、前記可動役物が前記演出位置と前記待機位置との間を移動する途中で前方へ負荷を受けたときに、前記可動役物の前面と当接可能な前面当接部を備えたことを特徴とする遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技者に対向配置されて、遊技に関する演出を行う演出装置と、演出装置に対して側方に離れかつ前側に位置する待機位置と、演出装置に前側から重なる演出位置との間を移動する可動役物と、待機位置に配置された可動役物を前側から覆う透明パネルと、を備えた遊技機において、可動役物より前側かつ透明パネルに対して演出位置側に配置されて、可動役物が演出位置と待機位置との間を移動する途中で前方へ負荷を受けたときに、可動役物の前面と当接可能な前面当接部を備えたところに特徴を有する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明では、演出位置から待機位置へ向かう可動役物が、例えば、振動等によって前方に負荷を受けても、その可動役物に前面当接部が当接することで、可動役物を後側へ跳ね返すことができる。これにより、透明パネルに傷が付くことが抑えられる。
【手続補正８】
【補正対象書類名】明細書
【補正対象項目名】００１３
【補正方法】変更
【補正の内容】
【００１３】
ここで、透明パネルは、前後の両面が平坦であってもよいし、透明パネルの外周面から内部に入射された光を前方に反射することで遊技者に視認可能となる凹凸装飾部が後面に設けられたものであってもよい。特に、後者の場合では、透明パネルの後面に傷が付くと、その傷が輝点になるという問題も防ぐことができる。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００２０
【補正方法】変更
【補正の内容】
【００２０】
図２に示すように、遊技領域Ｒ１は全体が略円形状となっていて、ガイドレール１２により囲まれている。遊技盤１１のうち遊技領域Ｒ１の中央には、遊技盤表示窓１０Ｈが貫通形成されている。遊技盤１１の裏面には、図３に示す裏セット盤４０が備えられ、その裏セット盤４０に固定された表示装置３０（本発明における「演出装置」に相当する。）の表示画面３０Ｇが遊技盤表示窓１０Ｈを通して前方に臨んでいる。なお、同図に示すように裏セット盤４０は、遊技盤１１の裏面と対向した主板壁４０Ａと、その外縁部から前方に起立した囲壁４０Ｂとを有し、前後方向で扁平な箱形構造をなしている。囲壁４０Ｂには、裏セット盤４０を遊技盤１１の裏面に固定するための鍔壁４０Ｃが張り出している。
【手続補正１３】
【補正対象書類名】明細書
【補正対象項目名】００２１
【補正方法】変更
【補正の内容】
【００２１】
図２に示すように、遊技盤表示窓１０Ｈの開口縁には、表示装飾枠２３が取り付けられている。表示装飾枠２３は、遊技盤１１の前面側から遊技盤表示窓１０Ｈに嵌め込まれ、遊技盤表示窓１０Ｈの内側に張り出すと共に、遊技盤１１の前面から突出している。これにより、表示装飾枠２３は、前方から見たときに表示画面３０Ｇの周囲を縁取るように装飾すると共に、遊技領域Ｒ１を流下する遊技球が表示装飾枠２３の内側に進入することを抑制している。
【手続補正１４】
【補正対象書類名】明細書
【補正対象項目名】００２２
【補正方法】変更
【補正の内容】
【００２２】
ここで、表示装飾枠２３の下辺部は、遊技球が左右に転動可能なステージ２４となっていて、表示装飾枠２３の左側辺には、遊技球をステージ２４に案内するためのワープ路１７が設けられている。そして、図１２に示すように、ステージ２４には、遊技球が上面を転動する転動壁２４Ａと、転動面壁２４Ａの後端から起立した後壁２３Ｈと、後壁２３Ｈの上端から前方に突出した庇壁２３Ｔと、が備えられ、後壁２３Ｈにより、転動壁２４Ａを転動する遊技球が遊技盤１１の後方に進入することが規制され、庇壁２３Ｔにより、転動壁２４Ａを転動する遊技球が表示装飾枠２３の内側に進入することが規制されている。なお、庇壁２３Ｔの先端は、転動壁２４Ａの前端より前方に配置されている。
【手続補正１５】
【補正対象書類名】明細書
【補正対象項目名】００３１
【補正方法】変更
【補正の内容】
【００３１】
図４に示すように、透明発光パネル６０には、遊技の進行に応じて発光する凹凸装飾部６１が複数備えられている。ここで、本実施形態のパチンコ遊技機１０では、遊技盤１１（図２参照）が透明樹脂により構成されることで、発光した凹凸装飾部６１が遊技盤１１越しに視認可能となっている。具体的には、図５（Ｂ）に示すように、凹凸装飾部６１は、透明発光パネル６０の後面に陥没形成された凹部６１Ａにより構成され、図６（Ａ）に示すように、通常は視認困難となっている。一方、図５（Ｂ）に示すように、透明発光パネル６０の外周面に対向した発光素子５７（例えば、ＬＥＤ。）から透明発光パネル６０の内部に光が入射されたときには、透明発光パネル６０内を通過する光が凹部６１Ａの内面６１Ｍで前方へ反射されることで、図６（Ｂ）に示すように、凹凸装飾部６１が浮かび上がったように発光して視認可能となる。なお、本実施形態では、三角形を２つ重ねた、いわゆる六角星状をなした凹凸装飾部６１が例示されている。
【手続補正１６】
【補正対象書類名】明細書
【補正対象項目名】００５９
【補正方法】変更
【補正の内容】
【００５９】
（９）前記実施形態では、後方突部２３Ｋの後端が透明カバーシート６５の後面よりも後側に配置されていたが、図１７に示すように、透明カバーシート６５の後面よりも前側に配置されていてもよい。後者の場合でも、前記実施形態と同様に、後方突部２３Ｋによって前方に負荷を受けた可動役物５０を後方へ跳ね返すことができる。
なお、前記実施形態及び他の実施形態（１）〜（９）には、下記［１］〜［５］の特徴的な構成が含まれていると言える。
［１］遊技者に対向配置されて、遊技に関する演出を行う演出装置と、前記演出装置に対して側方に離れかつ前側に位置する待機位置と、前記演出装置に前側から重なる演出位置との間を移動する可動役物と、前記待機位置に配置された前記可動役物を前側から覆う透明パネルと、を備えた遊技機において、前記可動役物と前記透明パネルとの間に配置されかつ前記透明パネルの後面に重ねて固定され、前記透明パネルを保護する透明カバーシートと、前記可動役物より前側かつ前記透明パネルに対して前記演出位置側に配置されて、前記可動役物が前記演出位置と前記待機位置との間を移動する途中で前方へ負荷を受けたときに、前記可動役物の前面と当接可能な前面当接部と、を備えたことを特徴とする遊技機。
［１］の構成によれば、透明パネルの後面に透明カバーシートが重ねて固定されているので、可動役物が透明パネルに接触することが防がれる。これにより、透明パネルに傷が付くことを防ぐことができる。また、演出位置から待機位置へ向かう可動役物が、例えば、振動等によって前方に負荷を受けても、その可動役物に前面当接部が当接することで、可動役物を後側へ跳ね返すことができる。これにより、可動役物が、透明パネルの後面に固定された透明カバーシートの演出位置側の端面に接触して該透明カバーシートを透明パネルから剥すことが抑制される。
［２］前記演出装置の前側には、前側から見たときに前記演出装置の周囲を縁取る包囲枠体が設けられ、前記可動役物は、前記包囲枠体の後側で前記包囲枠体の内外に横切って移動可能に構成され、前記包囲枠体には、移動途中の前記可動役物と重なる部分から後方に突出した前記前面当接部としての後方突部を設けると共に、前記包囲枠体の後側でかつ前記後方突部より外側に前記透明パネルを配置したことを特徴とする［１］に記載の遊技機。
［２］の構成では、演出装置の前側で演出装置の周囲を縁取る包囲枠体を、前面当接部を支持するための部材に兼用することが可能となる。
［３］前記透明パネルの後面には、前記透明パネルの外周面から内部に入射された光を前方に反射することで遊技者に視認可能となる凹凸装飾部が設けられていることを特徴とする［１］又は［２］に記載の遊技機。
［３］の構成では、透明パネルの後面に傷が付くと、その傷が輝点になるという問題も防ぐことができる。
［４］前記透明パネルと前記透明カバーシートの外縁部同士を挟んで固定する挟持部材を備え、前記挟持部材に、前記透明パネルの外周面から内部に光を入射するための光源を取り付けたことを特徴とする［３］に記載の遊技機。
［４］の構成によれば、透明パネルと透明カバーシートとを挟んで固定する挟持部材を、透明パネルの外周面から内部に光を入射する光源を固定する部材に兼用したので、挟持部材の有効利用が図られる。
［５］遊技球が流下可能な遊技領域が前面に形成された遊技盤と、前記遊技盤を貫通した包囲枠体取付窓に後側から対向した前記演出装置と、前記包囲枠体取付窓に前側から取り付けられて、前側から見たときに前記演出装置の周囲を縁取る包囲枠体と、前記包囲枠体の内縁部から前方に突出して、前記包囲枠体の内側に遊技球が進入することを規制する前方突壁と、を備え、前記可動役物を、前記包囲枠体の後側で前記包囲枠体を内外に横切って移動するように構成し、前記遊技盤のうち前記待機位置の前記可動役物の前側に位置する部分を透明にすると共に、その遊技盤の透明部分の後側に前記透明パネルを重ねて配置し、前記包囲枠体のうち移動途中の前記可動役物と重なる部分から後方に突出した前記前面当接部としての後方突部を設け、前記後方突部を、前記前方突壁を後方に延長した延長線上に配置したことを特徴とする［３］又は［４］に記載の遊技機。
［５］の構成によれば、演出装置の前側で演出装置の周囲を縁取る包囲枠体を、前面当接部を支持するための部材に兼用することが可能となる。また、包囲枠体の内縁部から前方に突出して内側に遊技球が進入することを規制する前方突壁を後方に延長した延長線上に前面当接部を配置したので、前面当接部を前方突壁の一部であるかのように見せることが可能となる。
なお、前記実施形態では、表示装飾枠２３が［２］の構成における「包囲枠体」に相当し、発光素子５７が［４］の構成における「光源」に相当し、遊技盤表示窓１０Ｈが［５］の構成における「包囲枠体取付窓」に相当し、庇壁２３Ｔが［５］の構成における「前方突壁」に相当する。